(57)【特許請求の範囲】
【請求項１】
ベースフレームと、
前記ベースフレームの後部近くに枢動可能に取り付けられ、直立位置と、横臥位置との間で移動するバックフレームと、
前記バックフレームに連結されて、使用者の背中を支持する少なくとも１つの背クッションと、
前記ベースフレームに、回転するように取り付けられたシートフレームと、
前記シートフレームに固定され、使用者がその上に座る座クッションと、
前記座クッションに座る使用者の体重を支持する、前記ベースフレームに連結された低摩擦ジャーナルブッシュと、
前記シートフレームに連結され、前記低摩擦ジャーナルブッシュの中に回転するように取り付けられて、前記ベースフレームの上の前記シートフレームおよび前記座クッションが回転するようにしたジャーナルポストであって、前記座クッションの後部から、前記座クッションの前部までの長さの約３０％から約４２％に位置して、前記座クッションに座る前記使用者の尾骨が、前記低摩擦ジャーナルブッシュおよび前記ジャーナルポストと実質的に垂直に整合するようにしたジャーナルポストと、
前記ベースフレームの各側に連結されたアームであって、それぞれがベースフレームに連結する一対の延長部分と、前記ベースフレームが置かれる水平面に対して約３０度から約８０度の鋭角に延在する面に位置するＵ字型の握り部と、を含むアームと、
前記ベースフレームの後部および前記ベースフレームの両側に、回転するように取り付けられた一対のプーリーと、
各プーリーと係合する弾性スリーブに覆われた引っ張りばねであって、前記ベースフレームと前記バックフレームとの間に連結され、前記バックフレームを前記直立位置に向かって付勢する引っ張りばねと、を備えることを特徴とする腹部運動装置。
【請求項２】
請求項１に記載の腹部運動装置において、
前記ベースフレームの側部材が管状の側部延長部分を含み、
前記各アームの前記延長部分が、前記ベースフレームの各側にある前記管状の側部延長部分に取り外しのできるように取り付けられ、前記シートフレームが回転する時に前記アームが前記ベースフレームに固定されるようにし、
前記握り部が、水平面に対して約５０度から約７０度の鋭角に延在する面に位置し、
前記低摩擦ジャーナルブッシュおよびその中に収容される前記ジャーナルポストが、前記座クッションの後部から、前記座クッションの前部までの長さの、約３３％から約３９％に位置し、
前記シートフレームのリヤ部材が、
前記座クッションを越えて延在するシートフレーム延長部分と、
前記シートフレーム延長部分と、前記ベースフレームまたは前記アームの前記延長部分の１つと、に位置して、前記座クッションが中央の位置に回転するときに整合するロック穴と、
前記整合するロック穴に挿入して、前記座クッションを前記中央の位置に固定するロックピンと、を含み、前記ロックピンが、
少なくとも１方向の寸法が前記ロック穴より大きい上部のハンドルと、
前記ロック穴より小さい直径を有して前記整合するロック穴の中に至るようになされた、前記上部のハンドルの近くに環状溝を有するシャフトと、を含むことを特徴とする腹部運動装置。
【発明の詳細な説明】
【技術分野】
【０００１】
本発明は運動装置の分野に関し、特に、新規かつ有用な、シートと、背中を支持する構造とを備えた腹部運動装置に関する。
【背景技術】
【０００２】
腹部および背部の筋肉の運動のための様々な運動装置および技法が知られている。このうち、最も一般的なものはシットアップまたはクランチであるが、背中および首の筋肉に逆の圧力をかけてしまうことでも知られている。
【０００３】
特許文献１及び２は、ともに参照により本明細書に含まれるが、本出願の発明者らによって共同発明された腹部運動装置を開示している。本出願は、腹部および背部の筋肉の運動に有効でありながら、発明者の従前の装置の使用および力学に対する理解の結果発見された改良を開示している。
【先行技術文献】
【特許文献】
【０００４】
【特許文献１】米国特許第７，３８１，１７１号明細書
【特許文献２】米国意匠第５８１，４７１号図面
【発明の概要】
【発明が解決しようとする課題】
【０００５】
腹部および背中の筋肉の運動を向上し、背中および首の筋肉に逆の圧力をかけない腹部運動装置のさらなる改良に対する必要性がなおも残る。
【０００６】
本発明の目的は、ベースフレームと、ベースフレームの後部近くに枢動可能に取り付けられ、直立位置と横臥位置間で動くようにしたバックフレームと、バックフレームに連結され、使用者の背中を支持する、少なくとも１つの背クッションと、ベースフレーム上で回転するように取り付けられたシートフレームと、シートフレームに固定され、使用者がその上に座る座クッションとを備えた腹部運動装置を提供することである。ジャーナルポストが回転自在なように内部に取り付けられた低摩擦ジャーナルブッシュは、ベースフレームとシートフレーム間に、動作可能なように連結され、使用者の体重を支える。ブッシュおよびポストは、座クッションの後部から座クッションの前部への長さの約３０％から約４２％の位置にあるので、使用者が座クッションに座り、背中を背クッションに寄り掛かからせた時に、使用者の尾骨が、実質的に垂直にブッシュおよびポストに整合する。ベースフレームの各側にあるアームは、ベースフレームまたはシートフレームに連結された一対の延長部分を有する。各アームは、水平面に対して約３０度から約８０度の鋭角に延在する面に位置するＵ字型の握り部を有する。一対のプーリーは、ベースフレームの後部に回転するように取り付けられ、弾性スリーブに覆われたばねを係合する。ばねは、ベースフレームとバックフレームとの間に、バックフレームを直立位置に向かって付勢するように連結される。
【課題を解決するための手段】
【０００７】
本発明のさらなる目的は、一対の側部材と、ベースフレームの側部材の間に連結されたクロス部材とを有する、床の上の水平面に置かれるベースフレームと、ベースフレームのそれぞれの側部材のそれぞれの後部近くに、枢動可能に取り付けられた一対の側部材を有し、前方の直立位置と、後方の横臥位置との間で移動するバックフレームと、バックフレームの側部材の間に連結され、側部材に沿って間隔を置いて配置された複数の背クッションと、フロント部材と、リヤ部材と、フロント部材とリヤ部材との間に連結されたクロス部材とを有するＨ字型のシートフレームと、シートフレームに固定され、シートフレームのフロント部材と、リヤ部材と、クロス部材の上に位置し、前部と後部を有する座クッションと、垂直に延びる軸穴を有し、ベースフレームおよびシートフレームのうちの一方のクロス部材に連結された低摩擦ジャーナルブッシュと、ベースフレームおよびシートフレームのうちの他方のクロス部材に連結され、低摩擦ジャーナルブッシュの中に回転するように収容されて、座クッションがベースフレームに対して回転するようにしたジャーナルポストであって、ジャーナルポスト近くの、クロス部材の支持部分に連結され、低摩擦ジャーナルブッシュと、体重を支持するよう接触して、座クッション上に座る使用者の体重を支持し、低摩擦ジャーナルブッシュおよびその中に収容されるジャーナルポストは、座クッションの後部から座クッションの前部への長さの約３０％から約４２％の位置にあり、使用者が座クッションに座り、背中を背クッションに寄り掛からせた時に、使用者の尾骨が、実質的に垂直に、低摩擦ジャーナルブッシュおよびその中に収容されるジャーナルポストと整合するようにしたジャーナルポストと、ベースフレームの各側にあるアームであって、各アームは、ベースフレームと、シートフレームとのうちの１方に連結された一対の延長部分を有し、各アームは、水平面に対して約３０度から約８０度の鋭角に延在する面に位置するＵ字型の握り部を有し、ベースフレームの両側のアームの握り部が、座クッション上に座る使用者が利用できる空間を増やして、使用者が握り部を握りやすくするため、それぞれ外向きの方向に延在しているアームと、ベースフレームの各側の後部近くに、回転するように取り付けられたプーリーと、ベースフレーム側部材とバックフレーム側部材との間に連結され、バックフレームを前方の直立位置に向かって付勢する引っ張りばねと、各引っ張りばねを覆って、プーリーの１つとそれぞれ係合する弾性スリーブと、を備える腹部運動装置を提供することである。
【０００８】
本発明を特徴づける新規性の様々な特徴は、ここに付加されて本開示の一部分を形成する請求の範囲で詳細に指摘されている。本発明と、その使用によって得られる動作上の利点および特定の目的をより良く理解するために、本発明の好ましい実施形態が例示されている随伴する図面及び説明事項を参照されたい。
【図面の簡単な説明】
【０００９】
【図１】腹部およびの背中の筋肉の運動のために使用者が使用できる状態の、直立し、前部から見た、本発明を実施している腹部運動装置を示す側面図、正面図および上面斜視図である。
【図２】図１と同様の装置であるが、装置上に座る使用者（図示せず）の背中の筋肉の運動のために、バックフレームおよびクッションを前方の直立位置から後方の横臥位置に移動した状態の装置を示す図である。
【図３】図２と同様の装置であるが、バックフレームおよびクッションを横臥位置に移動し、かつ、装置のシートフレームおよびクッションを最も左の位置まで回転させ、使用者の脇腹の筋肉の運動をできるようにした状態の装置を示す図である。
【図４】図３と同様の装置であるが、シートフレームおよびクッションを最も右の位置まで回転させ、使用者の脇腹の筋肉の運動をできるようにした状態の装置を示す図である。
【図５】座クッション上により広い空間を確保し、握り部をより握りやすくするために、装置のアームのＵ字型の握り部の延長部分が、垂直ではなく、角度をつけられていることを示す、装置の正面図および略斜視図である。
【図６】低摩擦の、体重を支持するジャーナルおよびその位置が、使用者の背骨の底部と垂直に揃っていることを示すために、座クッション上に座る使用者を示した、装置の側面図および略斜視図である。
【図７】座クッションの前部および後部に対するジャーナルの位置をより良く示す、装置の上面から見た平面図である。
【図８】本発明の腹部運動装置の分解斜視図である。
【図９】アームが、ベースフレームではなくシートフレームに固定された、装置の別の実施の形態の上面斜視図である。
【図１０】シートフレームを、ベースフレームの回転しない位置に保持するロックピンの拡大側面図である。
【図１１】装置のジャーナル部分の拡大分解断面図である。
【図１２】タンデムに配置されたプーリーと、ベースフレームおよびバックフレームの各側の弾性スリーブに覆われたばねと、プーリーおよびばねを覆う安全バンドを示す、本発明のさらなる実施の形態の部分背面斜視図である。
【発明を実施するための形態】
【００１０】
ここで図面を参照すると、同様の符号は同一または同様の要素に使用されるが、図１および図８は、床上の水平面にあるベースフレーム１２を備える腹部運動装置１０を示している。このベースフレームは、一対の側部材１２ａ、１２ｂと、ベースフレームの側部材の間に例えば溶接されて連結したクロス部材１２ｃとを有する。部材１２ａ、１２ｂ、１２ｃは、四角形で、断面が長方形の金属管であることが好ましい。バックフレーム１４は一対の側部材１４ａ、１４ｂを有し、ベースフレームの側部材１２ａ、１２ｂの上面および側部材のそれぞれの後部近くにある一対のイヤー１３上に、枢動可能に取り付けられ、図１に示される前方の直立位置と、図２に示される後方の横臥位置との間で動くようになっている。ボルト１５は、ベースフレーム１２の各側にある一対のイヤー１３の整合穴を貫通して、バックフレーム側部材１４ａ、１４ｂをベースフレームに保持し、ベースフレーム１２の各側で回転するように取り付けられた１個または２個のプーリー６０の軸となる。複数の背クッション２０は、それぞれ回転可能な発泡ゴムローラーの形状をしており、バックフレーム１４の側部材１４ａ、１４ｂの間に連結され、側部材に沿って間隔を置いて配置されている。最下部にあるローラークッション２０は、向かい合うボルト１５が延在する同一の軸上に、回転するように取り付けられている。
【００１１】
フロント部材およびリヤ部材１６ａ、１６ｂを有するＨ字型のシートフレーム１６は、フロント部材およびリヤ部材間に、例えば溶接されて連結されたクロス部材１６ｃを有する。詰物をした座クッション３０は、シートフレーム１６に固定され、シートフレームのフロント部材、リヤ部材、クロス部材の上に位置する。座クッションは前部３０ａおよび後部３０ｂを有する．
【００１２】
図１１にも示される低摩擦ジャーナルブッシュ４０は、低摩擦ナイロン等により作られ、垂直に延びる軸穴４０ａを有する。低摩擦ジャーナルブッシュ４０は、例えば、クロス部材の軸穴を貫通したり、下部に小径フランジリング４０ｃ、上部に大径フランジリング４０ｂを有することで、クロス部材１２ｃに固定されている。上部のフランジリング４０ｂは、広く平らな、上部が環状の支圧面を有する。ジャーナルポスト４２は、例えば溶接されて、シートフレーム１６のクロス部材１６ｃに連結される。また、ジャーナルポスト４２は、低摩擦ジャーナルブッシュ軸穴４０ａの中に回転するように収容されて、座クッション３０がベースフレーム１２に対して回転できるようにする。
【００１３】
ジャーナルポスト４２に近接する、シートフレームクロス部材１６ｃの支持部分は、低摩擦ジャーナルブッシュ４０の上部のフランジ１４ｂの上面と体重を支持するように接触し、図６に示すように、座クッションに座る使用者１００の全体重を支える。図７に示すように、低摩擦ジャーナルブッシュ４０およびその中に収容されるジャーナルポスト４２は、座クッション３０の後部３０ｂから長さＣの位置にある。つまり、座クッションの後部３０ｂから座クッション３０の前部３０ａのトータルの長さＢの、約３０％から約４２％（好ましくは約３３％から３９％）となる。シートフレーム１６およびその座クッション３０に対する、回転ジャーナルのこの重要な配置によって、座クッション３０に座る使用者１００が、背クッション２０に背中を寄り掛からせた時、図６の印Ｘで示すように、使用者の背骨１０２の下部の尾骨が、低摩擦ジャーナルブッシュ４０およびその中に収容されるジャーナルポスト４２と実質的に垂直に整合する。このようにして、実質的に使用者の体重のすべてが、ブッシュフランジ４０ｂの上面に集中するため、ベースフレーム１２上の座クッション３０の自由で容易な回転のために必要な、体重を支持するためのその他の構造が不要となる。図示の実施形態では、例えば、座クッション３０の前部から後部までのトータルの長さＢが約１１インチ（約２７．９４ｃｍ）であるのに対して、長さＣは約４インチ（約１０．１６ｃｍ）である。
【００１４】
同様の体重支持機能は、ブッシュ４０がシートフレーム１６のクロス部材１６ｃに取り付けられ、また、ポスト４２がベースフレーム１２のクロス部材１２ｃに取り付けられた本発明の別の実施の形態でも得ることができる。
【００１５】
アーム５０はベースフレーム１２の各側に設けられている。各アームはサイド管１２ｄ、１２ｅに取り外しのできるように連結された一対の延長部分５０ａ、５０ｂを有する。サイド管１２ｄ、１２ｅは、ベースフレーム１２の側部材１２ａ、１２ｂから延在する。図５および図８に最もよく示されるように、サイド管１２ｅは、側部材１２ａ、１２ｂの外表面に溶接された、断面が円形の金属管である。サイド管１２ｄは、実際にはフロント部材の横向きに反対側の延長部分である、ベースフレーム１２の断面が円形の金属管であり、側部材１２ａ、１２ｂの前部を横切る形で溶接されている。
【００１６】
各アーム５０は、図５に最もよく示されている、Ｕ字型の握り部５０ｃを含む。Ｕ字型の握り部５０ｃは、水平面に対して約３０度から約８０度の鋭角Ａに延在する面に位置する。ベースフレームの両側のアーム５０の握り部５０ｃは、座クッション３０上に座る使用者が利用できる空間を増やして、使用者が手で握り部を握りやすくするため、それぞれ、外向きの方向に延在している。さらにより好ましい角度Ａの範囲は、約５０度から７０度である。アーム延長部分５０ａ、５０ｂである断面が円形の管の直径は、ベースフレーム延長部分１２ｄ、１２ｅである断面が円形の管より小さいので、アームの管がベースフレームの管の中にはめ込まれ、アーム５０とベースフレーム１２との連結部の取り外しが可能となる。ベースフレーム１２の両側のアーム５０の位置のロッキングは、前方の延長部分５０ａの内側の端近くにある、外側のばね仕掛けの一対の半球５０ｄが、ベースフレーム延長部分１２ｄの端近くにある、向かい側の穴１２ｈにはまることによりなされる。後方の延長部分５０ｂのためのさらなるロッキングは不要である。
【００１７】
この実施形態では、アーム５０はベースフレーム１２に固定され、使用者はアームの握り部５０ｃを握って、使用者のウエストを回転させることが出来るので、バックフレーム１４を直立位置と横臥位置とで変更しながら、ベースフレーム上の座クッション３０を回転させ、使用者の脇腹の筋肉に的を絞ることが出来る。図９に示される本発明の別の実施形態では、別の一連の運動用に、アーム５０が座クッション３０とともに回転するように、アーム延長部分５０ａ、５０ｂは、シートフレーム１６のフロント部材およびリヤ部材１６ａ、１６ｂの向かい合う管状の端に取り外しのできるように連結される。
【００１８】
図１および２に示すように、シートフレーム１６とそのクッション３０を、中央の回転しない位置にロックするために、シートフレーム部材１６ｂは、座クッション３０から突出する１つの管状の端部１６ｄと、後方のアーム延長部分５０ｂに配置された垂直のロック穴１２ｊと整合する垂直のロック穴とを有する。ロック穴１２ｊは、図８の実施形態や、特にアームがシートフレームに連結された図９の実施形態では、後方のベースフレーム延長部分１２に配置されてもよい。ロックピン７０は、シャフト７０ｂと、ボールハンドル７０ａを有し、シャフト７０ｂを整合するロック穴に挿入して、シートフレームを定位置に固定する。図１０に最も良く示されるように、シャフト７０ｂの上端近くの環状溝７０ｃは、シートフレームおよびベースフレームを構成する中空管の板金素材をロック穴でキャッチすることにより、使用者が運動をする際にロックピン７０が誤って抜けてしまうのを防ぐ。重力作用およびボールハンドル７０ａの余分な重さによって、ピン７０は不規則にそのロックされた位置に戻され、運動中にロック穴から外れてしまうことはない。図３および図４に示すように、ロックピンがロック穴から外された状態では、使用者がウエストを回転させると、座クッション３０は左右に回転して、運動のルーチンを増すことができる。
【００１９】
プーリー６０は、各側のベースフレーム１２の後部近くに、ボルト１５の回りを回転するように取り付けられている。引っ張りばね８０の一方の端部は、バックフレーム側部材１４ａから延在するばねポスト１４ｃに係合しているアイ８４を有し、他方の端部は、ベースフレーム側部材１２ａから延在するばねポスト１２ｆに係合するアイ８５を有しており、図１および図８に示すように、バックフレーム１４を前方の直立位置に向かって付勢する。ねじ式ノブ８６はばねポスト１４ｃ、１２ｆのねじ端にねじ込まれ、ばね８０を定位置に固定する。弾性スリーブ、例えば発泡ゴムスリーブ８２は各ばね８０を覆い、弾性スリーブに覆われた各ばねは、１つのプーリー６０の溝と係合する。
【００２０】
図１２に示される、本発明の別の実施形態では、一対のタンデムに配置されたプーリー６０、６０は、長い方のボルト１５の回りで回転するように、ベースフレームの各側に取り付けられている。また、弾性スリーブ８２で覆われた各引っ張りばね８０は、ベースフレーム側部材とバックフレーム側部材との間に連結され、各プーリー６０と係合して、バックフレームを前方の直立位置へ向かって、２倍の力で付勢する。このことにより、横臥位置への動きに対する抵抗力を増して、より強力なトレーニングに対応する。タンデムに配置されたプーリーは、米国特許番号第７，３８１，１７１号および米国意匠番号第５８１，４７１号の従前の腹部運動装置において使用することができ、また図１から図１１の改良により使用することができる。図１２に示すように、１つのプーリー６０または２つのプーリー６０、６０を十分に覆うことの出来る幅を有し、その円周がプーリー６０、ばねポスト、スリーブ８２で覆われたばね８０の回りの経路より若干小さい、伸縮織物バンド（ｅｌａｓｔｉｃ  ｆａｂｒｉｃ  ｂａｎｄ）９０もまた、タンデムに配置されたプーリーとともに使用でき、および／また図１から図１１に示す改良により使用することができる。使用時には、バンド９０はプーリーの上で伸びてスリーブで覆われたばねを係合し、１つまたは２つのばね８０の後ろを通る一対の面ファスナ式のカバーストラップ９２によって、定位置に保持される。保持される位置は、スリーブ８２およびプーリー６０の溝が係合する場所の上であり、また、２つのストラップが使用される場合には、係合する場所の上と下である。そして、ストラップがそれ自体に底部で係合して、面ファスナの働きで接触面に保持される状態に戻る。この伸縮バンド９０を使用することは、以下の２つの目的がある。まず、ばねまたはその付属物が壊れた場合の安全対策として、全ての部品を伸縮織物バンドの中に閉じ込めて、装置側に入ってしまうことを防ぐ。次に、伸縮織物バンドは、トレーニング中に装置が直立位置と横臥位置間で動く際に、ばねおよびプーリーが発する音を消したり、減らしたりする。
【００２１】
本発明の基本原理を説明するために、本発明の特定の実施形態が詳細に示されたが、本発明は、その基本原理から逸脱しない範囲で、他の方法で実施され得ることを理解されたい。
【符号の説明】
【００２２】
１０  腹部運動装置１２  ベースフレーム１２ａ，１２ｂ  ベースフレームの側部材１２ｃ  ベースフレームのクロス部材１２ｄ, １２e  サイド管（側部延長部分）１２ｆ，１４ｃ  ばねポスト１２ｊ  ロック穴１３  イヤー１４  バックフレーム１４ａ, １４ｂ  バックフレームの側部材１５  ボルト１６  シートフレーム１６ａ  シートフレームのフロント部材１６ｂ  シートフレームのリヤ部材１６ｃ  シートフレームのクロス部材１６ｄ  端部（シートフレーム延長部分）２０  背クッション３０  座クッション４０  低摩擦ジャーナルブッシュ４０ａ  軸穴４０ｂ  大径フランジリング４０ｃ  小径フランジリング４２  ジャーナルポスト５０  アーム５０ａ，５０ｂ  アームの延長部分５０ｃ  握り部５０ｄ  半球６０  プーリー７０  ロックピン７０ａ  ボールハンドル７０ｂ  シャフト７０ｃ  環状溝８０  引っ張りばね８２  弾性スリーブ８４，８５  アイ８６  ねじ式ノブ９０  伸縮織物バンド９２  カバーストラップ
【図１】
0005610496.tif 000002
【図２】
0005610496.tif 000003
【図３】
0005610496.tif 000004
【図４】
0005610496.tif 000005
【図５】
0005610496.tif 000006
【図６】
0005610496.tif 000007
【図７】
0005610496.tif 000008
【図８】
0005610496.tif 000009
【図９】
0005610496.tif 000010
【図１０】
0005610496.tif 000011
【図１１】
0005610496.tif 000012
【図１２】
0005610496.tif 000013